(57)【要約】【課題】  インク誘導芯の先端側が過剰な筆圧により損傷するのを防ぐ。【解決手段】  軸筒１０と、軸筒１０に進退可能に挿通されて軸筒前端から前方へ突出する筒状のスライダー２０と、スライダー２０の前端から筆記部３１を前方へ突出させてスライダー２０に進退可能に挿通されるとともに後端側が軸筒１０内に支持されたインク誘導芯３０と、スライダー２０を軸筒１０に対し後方へ付勢する第一の付勢部材２７とを備え、軸筒１０とスライダー２０のうち、その一方にカム斜面２１ａを設けるとともに他方にはカム斜面２１ａに摺接する摺接部１１ａを設け、インク誘導芯３０からスライダー２０に伝達される径方向の力成分によりカム斜面２１ａを摺接部１１ａに摺接させて、スライダー２０をインク誘導芯３０及び軸筒１０に対し前進させるようにした。【選択図】  図６
2020179633.tif 000002
【特許請求の範囲】
【請求項１】
軸筒と、前記軸筒に進退可能に挿通されて軸筒前端から前方へ突出する筒状のスライダーと、前記スライダーの前端から筆記部を前方へ突出させて前記スライダーに進退可能に挿通されるとともに後端側が前記軸筒内に支持されたインク誘導芯と、前記スライダーを前記軸筒に対し後方へ付勢する第一の付勢部材とを備え、
前記軸筒と前記スライダーのうち、その一方にカム斜面を設けるとともに他方には前記カム斜面に摺接する摺接部を設け、
前記インク誘導芯から前記スライダーに伝達される径方向の力成分により前記カム斜面を前記摺接部に摺接させて、前記スライダーを前記インク誘導芯及び前記軸筒に対し前進させるようにしたことを特徴とする筆記具。
【請求項２】
前記スライダーが前記前進しながら傾き、この傾きに伴って前記インク誘導芯が弾性的に撓むようにしたことを特徴とする請求項１記載の筆記具。
【請求項３】
前記カム斜面と前記摺接部のうち、少なくともその一方に軸筒内外に連通する通気溝を設け、前記筆記部からインクが吐出されるのに伴って、外気が前記通気溝を通って軸筒内に流入するようにしたことを特徴とする請求項１又は２記載の筆記具。
【請求項４】
前記インク誘導芯の後端側には、前記インク誘導芯へインクを供給する前記インク収容部が、前記インク誘導芯と一体的に進退するように接続され、
前記インク収容部は、前進位置と後退位置との間で所定量進退するように前記軸筒内に支持され、
前記軸筒内には、前記インク収容部を前方へ付勢する第二の付勢部材が設けられていることを特徴とする請求項１〜３何れか１項記載の筆記具。
【請求項５】
前記インク収容部は、前端開口部に前記インク誘導芯を挿通した筒状のケース部と、該ケース部の後端側を有底状に閉鎖する尾栓部と、前記ケース部内にて前記インク誘導芯の後端側に接続されたインク含浸体とを具備し、
前記軸筒の内周面と前記ケース部の外周面との間には、前記インク収容部を進退可能にする隙間が確保され、
前記軸筒の内周部と、前記ケース部の外周部との間には、前後方向に圧接されて前記隙間をその前端側で密閉するシール部が構成されていることを特徴とする請求項４記載の筆記具。
【請求項６】
前記スライダーは、前記カム斜面の前端側に、軸筒前端の開口内縁部よりも径方向外側へ突出して前記軸筒の前端面に当接可能な鍔部を有することを特徴とする請求項１〜５何れか１項記載の筆記具。
【発明の詳細な説明】
【技術分野】
【０００１】
本発明は、インク収容部に収容されたインクを前方へ導いてインク誘導芯の前端側から吐出するようにした筆記具に関するものである。
【背景技術】
【０００２】
従来、この種の発明には、例えば特許文献１に記載されるように、軸筒と、軸筒内に支持された長尺軸状のインキ吸蔵体と、このインキ吸蔵体の前端側に接続されて先端部を軸筒の前端から前方へ突出するペン体（インク誘導芯）とを備え、インキ吸蔵体に含浸されたインキを毛細管力により前方へ導きペン体の前端側から吐出するようにしたサインペンやマーカーペン等の筆記具がある。
そして、このような筆記具のペン体は、毛細管力によりインクを前方へ導くように、例えば、繊維集束体や、多孔質の合成樹脂材料等から形成される。
【先行技術文献】
【特許文献】
【０００３】
【特許文献１】特開２０００−７９７８７号公報
【発明の概要】
【発明が解決しようとする課題】
【０００４】
上記従来技術によれば、筆記動作によりペン体であるインク誘導芯を筆記面に繰り返し当接したり押し付けたりするため、その際の筆圧が大きすぎると、インク誘導芯の先端側に変形や摩耗を生じたり、インク誘導芯を構成する繊維がばらけたり等、インク誘導芯の先端側に何らかの損傷を生じるおそれがある。
【課題を解決するための手段】
【０００５】
このような課題に鑑みて、本発明は、以下の構成を具備するものである。
軸筒と、前記軸筒に進退可能に挿通されて軸筒前端から前方へ突出する筒状のスライダーと、前記スライダーの前端から筆記部を前方へ突出させて前記スライダーに進退可能に挿通されるとともに後端側が前記軸筒内に支持されたインク誘導芯と、前記スライダーを前記軸筒に対し後方へ付勢する第一の付勢部材とを備え、前記軸筒と前記スライダーのうち、その一方にカム斜面を設けるとともに他方には前記カム斜面に摺接する摺接部を設け、前記インク誘導芯から前記スライダーに伝達される径方向の力成分により前記カム斜面を前記摺接部に摺接させて、前記スライダーを前記インク誘導芯及び前記軸筒に対し前進させるようにしたことを特徴とする筆記具。
【発明の効果】
【０００６】
本発明は、以上説明したように構成されているので、インク誘導芯の先端側が過剰な筆圧により損傷するのを防ぐことができる。
【図面の簡単な説明】
【０００７】
【図１】本発明に係る筆記具の一例を示す半断面図である。
【図２】同筆記具の要部拡大全断面図である。
【図３】前軸の前端側部分を示す斜視図である。
【図４】インク収容部におけるケース部の前端側部分を示す斜視図である。
【図５】同筆記具の作用を示す全断面図であり、（ａ）は通常の使用状態を示し、（ｂ）はスライダーを前進させた状態を示し、（ｃ）はインク誘導芯を後退させた状態を示す。なお、（ｂ）（ｃ）のハッチングは、（ａ）の状態に対し、前進又は後退した部分を示す。
【図６】（ａ）は通常の筆記状態を示し、（ｂ）はインク誘導芯に加わる径方向の力によりスライダーを前進させた状態を示す。なお、（ｂ）のハッチングは、（ａ）の状態に対し、前進した部分を示す。
【図７】（ａ）はインク誘導芯を被筆記面に対し略垂直に接触させた状態を示し、（ｂ）はインク誘導芯が過剰な略垂直方向の力により後退した状態を示す。なお、（ｂ）のハッチングは、（ａ）の状態に対し、相対的に後退した部分を示す。
【発明を実施するための形態】
【０００８】
本実施の形態では、以下の特徴を開示している。
第１の特徴は、軸筒と、前記軸筒に進退可能に挿通されて軸筒前端から前方へ突出する筒状のスライダーと、前記スライダーの前端から筆記部を前方へ突出させて前記スライダーに進退可能に挿通されるとともに後端側が前記軸筒内に支持されたインク誘導芯と、前記スライダーを前記軸筒に対し後方へ付勢する第一の付勢部材とを備え、前記軸筒と前記スライダーのうち、その一方にカム斜面を設けるとともに他方には前記カム斜面に摺接する摺接部を設け、
前記インク誘導芯から前記スライダーに伝達される径方向の力成分により前記カム斜面を前記摺接部に摺接させて、前記スライダーを前記インク誘導芯及び前記軸筒に対し前進させるようにした（図１〜図６参照）。
【０００９】
第２の特徴は、前記スライダーが前記前進しながら傾き、この傾きに伴って前記インク誘導芯が弾性的に撓むようにした（図５（ｂ）及び図６参照）。
【００１０】
第３の特徴は、前記カム斜面と前記摺接部のうち、少なくともその一方に軸筒内外に連通する通気溝を設け、前記筆記部からインクが吐出されるのに伴って、外気が前記通気溝を通って軸筒内に流入するようにした（図２〜図４参照）。
【００１１】
第４の特徴として、前記インク誘導芯の後端側には、前記インク誘導芯へインクを供給する前記インク収容部が、前記インク誘導芯と一体的に進退するように接続され、前記インク収容部は、前進位置と後退位置との間で所定量進退するように前記軸筒内に支持され、前記軸筒内には、前記インク収容部を前方へ付勢する第二の付勢部材が設けられている（図５（ｃ）及び図７参照）。
【００１２】
第５の特徴として、前記インク収容部は、前端開口部に前記インク誘導芯を挿通した筒状のケース部と、該ケース部の後端側を有底状に閉鎖する尾栓部と、前記ケース部内にて前記インク誘導芯の後端側に接続されたインク含浸体とを具備し、前記軸筒の内周面と前記ケース部の外周面との間には、前記インク収容部を進退可能にする隙間が確保され、前記軸筒の内周部と、前記ケース部の外周部との間には、前後方向に圧接されて前記隙間をその前端側で密閉するシール部が構成されている（図１〜図５参照）。
【００１３】
第６の特徴として、前記スライダーは、前記カム斜面の前端側に、軸筒前端の開口内縁部よりも径方向外側へ突出して前記軸筒の前端面に当接可能な鍔部を有する（図２参照）。
【００１４】
なお、後述する実施態様では、以下の構成要件のみを必須とした発明も開示している。
すなわち、この発明の一つは、軸筒と、前記軸筒に進退可能に挿通されて軸筒前端から前方へ突出する筒状のスライダーと、前記スライダーの前端から筆記部を前方へ突出させて前記スライダーに進退可能に挿通されるとともに後端側が前記軸筒内に支持された筆記芯と、前記スライダーを前記軸筒に対し後方へ付勢する第一の付勢部材とを備え、前記軸筒と前記スライダーのうち、その一方にカム斜面を設けるとともに他方には前記カム斜面に摺接する摺接部を設け、前記筆記芯から前記スライダーに伝達される径方向の力成分により前記カム斜面を前記摺接部に摺接させて、前記スライダーを前記筆記芯及び前記軸筒に対し前進させるようにした筆記具であって、前記スライダーは、前記カム斜面の前端側に、軸筒前端の開口内縁部よりも径方向外側へ突出して前記軸筒の前端面に当接可能な鍔部を有することを特徴とする。
ここで、前記筆記芯には、フェルトペンのインク誘導芯や、ボールペン用リフィール、シャープペンシルの鉛芯等を含む。
この発明によれば、前記スライダーが後退して前記軸筒の前端開口部内に食い込んでしまうようなことを防ぐことができる。
【００１５】
＜具体的実施態様＞
次に、上記特徴を有する具体的な実施態様について、図面に基づいて詳細に説明する。
筆記具１は、軸筒１０と、軸筒１０に進退可能に挿通されて軸筒１０の前端から前方へ突出する筒状のスライダー２０と、スライダー２０を軸筒１０に対し後方へ付勢する第一の付勢部材２７と、スライダー２０の前端から筆記部３１を前方へ突出させてスライダー２０に進退可能に挿通されるとともに後端側が軸筒１０内に支持されたインク誘導芯３０と、インク誘導芯３０の後端側にインク誘導芯３０と一体的に進退するように接続されたインク収容部４０と、軸筒１０内でインク収容部４０を前方へ付勢する第二の付勢部材４７とを備え、インク誘導芯３０前端側の筆記部３１を被筆記面ｘに接してインクを転写するフェルトペン（サインペンやマーカーペン、マーキングペン等を含む）を構成している。
この筆記具１は、インク誘導芯３０からスライダー２０に伝達される径方向の力成分によりスライダー２０側のカム斜面２１ａを軸筒１０側の摺接部１１ａに摺接させて、スライダー２０をインク誘導芯３０及び軸筒１０に対し前進させる。
【００１６】
軸筒１０は、略筒状の前軸１１及び後軸１２を前後に接続して構成される。
なお、軸筒１０の他例としては、単一の筒状部材からなる態様や、三以上の筒状部材を接続してなる態様とすることも可能である。
【００１７】
前軸１１は、前後端部に開口部を有する長尺円筒状に形成され、その前端側の開口部の内縁を、後述するカム斜面２１ａに摺接させるための摺接部１１ａにしている。
詳細に説明すれば、図２に示すように、前軸１１の前端側の内縁には、Ｃ面取り部が形成され、このＣ面取り部と、前軸１１前端側の内周面とが交差する角部分が、摺接部１１ａである。この摺接部１１ａは、前軸１１内周面に沿って略環状に設けられる。
【００１８】
摺接部１１ａには、軸筒１０の内外に連通する通気溝１１ｄが、周方向に間隔を置いて複数設けられる（図２及び図３参照）。
各通気溝１１ｄは、前軸１１の前端部を部分的に切欠した切欠部１１ｄ１と、この切欠部１１ｄ１に連通するとともに前軸１１内周面に沿って後方へ延設された凹溝部１１ｄ２とから構成される。
この通気溝１１ｄは、筆記部３１からインクが吐出されるのに伴って、外気を軸筒１０内へ流入する。
【００１９】
また、前軸１１内周面には、スライダー２０よりも後側に、前方へ向かって縮径する環状の段部が設けられる。そして、この段部の内縁部１１ｂは、全周にわたる縦断面凸曲面状に形成され（図２参照）、後述するシール部ａを構成する。
【００２０】
後軸１２は、後方を底部とした有底筒状に形成され、前軸１１の後端側に周知の接続手段（例えば、螺合や嵌合等）によって接続される。
【００２１】
なお、図２中、符号１１ｃは、前軸１１内周面に形成され、第一の付勢部材２７の前端部を受ける段状の係止部である。
また、図１中、符号１３は、前軸１１の前端側に気密に被せられ、筆記部３１を保護するとともにインクの揮発を防ぐキャップである。このキャップ１３は、前方を底部とした有底筒状に形成される。
【００２２】
また、スライダー２０は、スライダー本体部２１と、スライダー本体部２１の後側に接続された受け部２２との二部材から一体的に構成される。これら部材は、単一の部材とすることも可能である。
スライダー本体部２１の外周面には、カム斜面２１ａと、カム斜面２１ａの前端側で軸筒１０前端の開口内縁部よりも径方向外側へ突出する環状の鍔部２１ｂとが設けられる。
【００２３】
カム斜面２１ａは、前方へ行くにしたがって徐々に拡径する環状の傾斜面である。このカム斜面２１ａは、スライダー２０に径方向の力成分が加わった際に、軸筒１０側の摺接部１１ａに摺接して、スライダー２０を前方へ動かす運動方向変換手段として機能する。
【００２４】
鍔部２１ｂは、スライダー２０の軸心に対し略直角な後端面２１ｂ１（図２参照）を有し、この後端面２１ｂ１を、軸筒１０の前端面に当接可能にしている。
【００２５】
そして、上記構成のスライダー２０は、第一の付勢部材２７によって、後方へ付勢されている。
第一の付勢部材２７は、図示例によれば圧縮コイルスプリングであり、その前端部を、軸筒１０内の係止部１１ｃに係止するとともに、後端部を受け部２２に係止して、スライダー２０を後方へ付勢している。
【００２６】
インク誘導芯３０は、多数の合成樹脂繊維（例えばアクリル繊維等）を棒状に束ねた繊維集束体であり、後方側のインク含浸体４３から供給されるインクを毛細管現象により前方へ導き、前端側の筆記部３１から吐出する。筆記部３１は、図示例によれば、砲弾状（もしくは縦断面放物線状）に形成される。
【００２７】
このインク誘導芯３０の外周面には、後部側を縮径するようにして環状の段部３２が形成される。この段部３２は、インク収容部４０の前端部に当接する。
【００２８】
インク収容部４０は、前進位置（図５（ａ）（ｂ）参照）と後退位置（図５（ｃ）参照）との間で所定量進退するように軸筒１０内に支持される。
このインク収容部４０は、長尺円筒状のケース部４１と、このケース部４１の後端側を有底状に覆う尾栓部４２と、インク誘導芯３０の後端側に接続されるとともにケース部４１内に収容されたインク含浸体４３とを具備している。
【００２９】
そして、インク収容部４０の外周面と軸筒１０の内周面との間には、インク収容部４０の進退を可能にする隙間ｓが、前後方向にわたる筒状に確保される。
また、軸筒１０の内周部と、ケース部４１の外周部との間には、前後方向に圧接されて隙間ｓをその前端側で密閉するシール部ａが構成される。
【００３０】
シール部ａは、図２に示すように、軸筒１０内周面における環状段部の内縁部１１ｂと、ケース部４１外周部における環状傾斜面４１ａとを圧接させて構成され、この圧接の箇所よりも後側の隙間ｓを密閉している。
【００３１】
また、ケース部４１は、長尺な略円筒状に形成され、シール部ａよりも前側に位置する長尺円筒状の小径筒部４１ｂと、この小径筒部４１ｂの後部側を環状に囲む大径筒部４１ｃと、大径筒部４１ｃよりも後側でインク含浸体４３を収容する収容室４１ｅと、収容室４１ｅを軸筒１０内前端側の空間に連通する通気路４１ｄとを有する。
【００３２】
小径筒部４１ｂは、インク誘導芯３０外周の段部３２の後端側に環状に嵌り合っている。この小径筒部４１ｂの外周には、弾性部材４５が環状に嵌め合わせられている。
【００３３】
大径筒部４１ｃは、小径筒部４１ｂの外周面との間に環状の隙間４１ｄ２を置いて筒状に設けられ、その前端側に、周方向に間隔を置いて複数の切欠部４１ｄ１を有する。隙間４１ｄ２及び切欠部４１ｄ１は、後述する通気路４１ｄの一部分として機能する。
【００３４】
収容室４１ｅは、大径筒部４１ｃ内の隙間４１ｄ２との間に仕切壁４１ｆを置くようにして、その後方側に、インク含浸体４３を収容する長尺円筒状の空間を確保している。仕切壁４１ｆには、周方向に間隔を置いて複数の貫通孔４１ｄ３が設けられる。これら貫通孔４１ｄ３は、後述する通気路４１ｄの一部分として機能する。
【００３５】
通気路４１ｄは、上述した切欠部４１ｄ１、隙間４１ｄ２、貫通孔４１ｄ３によって形成される空気通路であり、軸筒１０内前端側の空間と、収容室４１ｅとを連通している。
【００３６】
また、弾性部材４５は、合成ゴム等の弾性材料からなるＯリングである。この弾性部材４５は、受け部２２の後端と、大径筒部４１ｃの前端との間に挟まれて弾性変形する。
【００３７】
また、尾栓部４２は、後端を底部とした有底筒状に形成される。この尾栓部４２は、ケース部４１の後端開口を塞ぐようにして、ケース部４１の後端側に着脱可能に接続される。この接続手段は、例えば、螺合又は嵌合等とすればよい。
この尾栓部４２の外周には、ケース部４１の後端部に当接するとともに、後述する第二の付勢部材４７の前端部を受ける環状の係止突部４２ａが設けられる。
【００３８】
また、インク含浸体４３は、多数の合成樹脂繊維を円柱軸状に構成し、インクを含浸させたものである。
このインク含浸体４３は、前端部をケース部４１内の段部に当接するとともに、後端部を尾栓部４２に嵌め合わせて、ケース部４１及び尾栓部４２に対し進退不能に装着される。
なお、インク含浸体４３の他例としては、略円筒状のタンク内に直接インクを封入した態様等とすることも可能である。
【００３９】
第二の付勢部材４７は、軸筒１０の内部後端側に装着された圧縮コイルスプリングである。この第二の付勢部材４７は、尾栓部４２の外周に環状に嵌め合わせられて、その前端部を尾栓部４２の係止突部４２ａに当接させるとともに、後端部を後軸１２の底部に当接させて、インク収容部４０を、軸筒１０に相対し前方へ付勢している。
この第二の付勢部材４７の付勢力は、筆記部３１に過剰な後方向きの力が加わった際に、筆記部３１及びインク収容部４０等を、軸筒１０に相対し後退させるように、適宜に設定される。
【００４０】
次に上記構成の筆記具１について、その特徴的な作用効果を詳細に説明する。
図６（ａ）に示すように、筆記部３１が適宜な筆記角度で被筆記面ｘに接すると、筆記部３１から吐出されるインクが被筆記面ｘに転写される。
この筆記に伴うインクの消耗に伴い、軸筒１０内には外気が取り入れられる。詳細に説明すれば、外気は、図２に二点鎖線で示す経路のように、前軸１１前端側の通気溝１１ｄ、前軸１１内前端側の空間、及びケース部４１前端側の通気路４１ｄを通って、収容室４１ｅ内へ進入する。
【００４１】
そして、筆記中に筆記部３１が被筆記面ｘに斜めに強く押し付けられる等して、筆記部３１に径方向の力が過剰に加わった場合には、スライダー２０のカム斜面２１ａが摺接部１１ａに摺接して、スライダー２０が前方へ移動する（図５（ｂ）及び図６（ｂ）参照）。このため、前進したスライダー２０によって筆記部３１を覆って保護することができる。
【００４２】
前記前進の際、スライダー２０は前進しながら若干傾くが、この傾きに追従するようにして、インク誘導芯３０の前端側が弾性的に撓む（図６（ｂ）参照）。このため、スライダー２０がインク誘導芯３０から受ける抵抗を小さくして、スライダー２０の前進をスムーズに行うことができる。
【００４３】
また、前記径方向の力が除去された際には、スライダー２０が第一の付勢部材２７の付勢力により後退し、筆記部３１がスライダー２０の前端から突出した初期状態（図５（ａ）及び図６（ａ）参照）に戻る。
なお、前記後退の際、スライダー２０の後端部が弾性部材４５に当接するため、その後退に伴う騒音等を軽減することができる。
【００４４】
また、例えば、筆記部３１が被筆記面ｘに略垂直に強く押し付けられる等した際に、軸方向に沿う後方向きの力が過剰に加わった場合には、インク誘導芯３０、インク収容部４０及び弾性部材４５等が、第二の付勢部材４７の付勢力に抗して後退し、筆記部３１がスライダー２０内に没入する（図７（ｂ）参照）。よって、過剰な後方への押圧力により、インク誘導芯３０の繊維が解れたり、筆記部３１が型崩れしたりするようなことを防ぐことができる。
【００４５】
また、前記垂直方向の力が除去された際には、インク誘導芯３０、インク収容部４０及び弾性部材４５等が、第二の付勢部材４７の付勢力により前進し、筆記部３１がスライダー２０の前端から突出した初期状態（図５（ａ）及び図６（ａ）参照）に戻る。
なお、前記前進の際には、弾性部材４５が、スライダー２０の後端部に当接するため、その前進に伴う騒音を軽減することができる。
【００４６】
また、上記構成の筆記具１によれば、軸筒１０内に残存する空気により筆記部３１が乾燥してしまうようなことを防ぐことができる。
詳細に説明すれば、通常の筆記具では軸筒の前端側にキャップを装着した状態でも軸筒内の残存空気により筆記部及びインク誘導芯等の乾燥が徐々に進む。しかしながら、本実施の形態の筆記具１によれば、軸筒１０内後端側の隙間ｓが、シール部ａにより密閉されるため、隙間ｓの残存空気が軸筒１０内を前方へ流れるのを阻むことができ、ひいては、筆記部３１及びインク誘導芯３０等の乾燥を防ぐことができる。
【００４７】
また、上記構成の筆記具１によれば、スライダー２０に過剰な後方への力を受けた場合、スライダー本体部２１の鍔部２１ｂの後端面２１ｂ１が、軸筒１０の前端面に当接するため、スライダー本体部２１が後退して軸筒１０内に食い込んでしまうようなことを防ぐことができる。
【００４８】
なお、上記実施態様によれば、スライダー２０側にカム斜面２１ａを設けるとともに軸筒１０側に摺接部１１ａを設けたが、他例としては、軸筒１０側にカム斜面を設け、このカム斜面に摺接する摺接部をスライダー２０側に設けることも可能である。
【００４９】
また、上記実施態様によれば、軸筒１０内外を連通する通気溝１１ｄを摺接部１１ａに設けたが、他例としては、同様に作用する通気溝をカム斜面２１ａに設けることも可能である。
【００５０】
また、上記実施態様によれば、筆記具１をフェルトペンとして構成したが、他例としては、筆記具１をボールペンとして構成することも可能である。この場合には、インク誘導芯３０及びインク収容部４０等をボールペン用リフィールに置換すればよい。
【００５１】
また、本発明は上述した実施態様に限定されず、本発明の要旨を変更しない範囲で適宜変更可能である。
【符号の説明】
【００５２】
１：筆記具
１０：軸筒
１１ａ：摺接部
２０：スライダー
２１ａ：カム斜面
２７：第一の付勢部材
３０：インク誘導芯
３１：筆記部
４０：インク収容部
４１：ケース部
４２：尾栓部
４３：インク含浸体
４７：第二の付勢部材
ｓ：隙間
【図１】
2020179633.tif 000003
【図２】
2020179633.tif 000004
【図３】
2020179633.tif 000005
【図４】
2020179633.tif 000006
【図５】
2020179633.tif 000007
【図６】
2020179633.tif 000008
【図７】
2020179633.tif 000009